(57)【要約】    【構成】  雨水浸透ます用フィルタ１０は外側フィルタ１４内に内側フィルタ１２を重ねて形成される。内側フィルタ１２の高さは外側フィルタ１４の高さより低く、内側フィルタ１２の上端と外側フィルタ１４の上端との間に間隙が形成される。雨水に含まれた固形物はまず内側フィルタ１２で除去される。そして、内側フィルタ１２内が固形物で満たされると、雨水は間隙、つまりオバーフロー流路３４を通って、外側フィルタ１４内に流入し、次に固形物は外側フィルタ１４で除去される。    【効果】  雨水は効率良く内側フィルタ１２から外側フィルタ１４へ流入し、しかも固形物は内側フィルタ１２内だけでなく、および内側フィルタ１２と外側フィルタ１４との間にも溜められるため、内側フィルタ１２を簡易に取り出せる維持管理機能を活かしたまま雨水浸透ます用フィルタ１０の固形物を取り除く間隔を延ばすことができ、維持管理の省力化につながる。【選択図】  図１
2006124990.tif 000002
【特許請求の範囲】
【請求項１】
外側フィルタの中に少なくとも１つの内側フィルタを重ねた雨水浸透ます用フィルタであって、
前記内側フィルタの上部に前記外側フィルタへのオバーフロー流路を形成した、雨水浸透ます用フィルタ。
【請求項２】
前記外側フィルタの孔の大きさは前記内側フィルタの孔の大きさより小さい、請求項１記載の雨水浸透ます用フィルタ。
【請求項３】
請求項１または２記載の雨水浸透ます用フィルタを設けた、雨水浸透ます。
【発明の詳細な説明】
【技術分野】
【０００１】
この発明は、雨水浸透ますおよび雨水浸透ます用フィルタに関し、特にたとえば、雨水を地中に浸透させるだけでなく、雨水から落ち葉や土砂などごみを除去する機能も備える、雨水浸透ますおよび雨水浸透ます用フィルタに関する。
【背景技術】
【０００２】
従来の雨水浸透ますおよび雨水浸透ます用フィルタの一例が、非特許文献１に開示されている。この非特許文献１の浸透ますは泥溜めますと連通し、泥溜めますの中にかごおよびゴミ取りバケツが取り付けられている。ごみを含んだ雨水はまず泥溜めますの中に入り、ゴミ取りバケツおよびかごを通過する。ごみは主にゴミ取りバケツにより捕らえられて、ごみが取り除かれた雨水は浸透ますへ流入する。このため、ゴミ取りバケツにごみが詰まると浸透ますの浸透能力が低下してしまうため、定期的または大雨の後などにゴミ取りバケツの掃除や点検などをする必要がある。
【非特許文献１】財団法人  下水道新技術推進機構「下水道雨水浸透技術マニュアル―２００１年６月―」第４節「浸透ます等」の構造、図４−７目づまり防止対策（泥溜めます併設例）（７９）
【発明の開示】
【発明が解決しようとする課題】
【０００３】
非特許文献１の従来技術では、主にかごと独立している容積の小さなゴミ取りバケツにより雨水からごみを除去するため、すぐにゴミ取りバケツが一杯になってゴミ取りバケツの目が詰まってしまい、泥溜めますの掃除や点検など維持管理を頻繁にしなければならない。特に、台風や集中豪雨など大雨が降る時期には、これらの掃除や点検などをさらに頻繁に行う必要がある。
【０００４】
それゆえに、この発明の主たる目的は、維持管理の省力化を図る、雨水浸透ますおよび雨水浸透ます用フィルタを提供することである。
【課題を解決するための手段】
【０００５】
請求項１の発明は、外側フィルタの中に少なくとも１つの内側フィルタを重ねた雨水浸透ます用フィルタであって、内側フィルタの上部に外側フィルタへのオバーフロー流路を形成した、雨水浸透ます用フィルタである。
【０００６】
請求項１の発明では、雨水に含まれたごみなどの固形物は内側フィルタで除去されて、雨水は内側フィルタを通過する。続いて、雨水は外側フィルタを通過して、雨水浸透ますへ流入する。
【０００７】
そして、内側フィルタに固形物が溜まると、雨水は固形物とともに内側フィルタのオバーフロー流路を通って、外側フィルタへ流入する。そこで、内側フィルタと同様に、ごみは外側フィルタで除去され、雨水は外側フィルタを通過する。
【０００８】
このように、ごみの量が少なく内側フィルタだけにごみが溜められている場合には外側フィルタの上に重ねられた内側フィルタだけを取り出せばよい。
【０００９】
また、ごみの量が多く内側フィルタがごみで満たされると、内側フィルタに設けたオバーフロー流路により雨水に含まれるごみは外側フィルタでも除去されるため、ごみ除去可能容積は増加する。
【００１０】
これにより、内側フィルタを簡易に取り出すことのできる維持管理機能を活かしたまま、ごみが雨水浸透ます用フィルタに満たされるまでの時間を延ばすことが可能となり、延いては雨水浸透ますを維持管理する作業の間隔を延ばすことができ、維持管理の省力化につながる。
【００１１】
請求項２の発明は、外側フィルタの孔の大きさは内側フィルタの孔の大きさより小さい、請求項１記載の雨水浸透ます用フィルタである。
【００１２】
請求項２の発明では、内側フィルタによりある程度大き目の固定物を除去しながら流路を確保し、外側フィルタにより小さな固定物まで除去する。
【００１３】
請求項３の発明は、請求項１または２記載の雨水浸透ます用フィルタを設けた、雨水浸透ますである。
【００１４】
請求項３の発明では、請求項１または２の発明と同様の作用を示す。
【発明の効果】
【００１５】
この発明によれば、内側フィルタにオバーフロー流路を設けることにより、雨水浸透ますの維持管理の省力化を図る
この発明の上述の目的，その他の目的，特徴および利点は、図面を参照して行う以下の実施例の詳細な説明から一層明らかとなろう。
【発明を実施するための最良の形態】
【００１６】
図１に示すこの発明の一実施例である雨水浸透ます用フィルタ１０は内側フィルタ１２および外側フィルタ１４を備え、これらを重ねて雨水浸透ます１６の中に取り付けられる。たとえば、雨水浸透ます１６が、ごみ除去用ます１８と雨水浸透用ます２０とを接続管２２で連通し、雨水浸透用ます２０に有孔管２４を接続したものである場合、雨水浸透ます用フィルタ１０はごみ除去用ます１８内に設けられる。
【００１７】
図２に示す内側フィルタ１２はたとえば、筒状の側壁に底面を設けた容器であり、側壁および底面に多数の小さな孔２６が設けられる。射出形成または孔の開いていない側壁および底面に二次加工で孔２６を開けて形成される。内側フィルタ１２の上端にコ字型の把手２８が取り付けられる。把手２８の長さＦは、図３に示すように、内側フィルタ１２の外径Ｄｉと等しい。
【００１８】
図２に示す外側フィルタ１４は内側フィルタ１２と相似形の筒状の側壁に底を設けた容器であり、側壁および底面に多数の小さな孔３０が形成される。孔３０の大きさは内側フィルタ１２の孔の大きさ２６より小さい。
【００１９】
図３に示すように、外側フィルタ１４の内径Ｄｅは内側フィルタ１２の外径Ｄｉより大きいため、内側フィルタ１２は外側フィルタ１４の中に入り、内側フィルタ１２と外側フィルタ１４との間に間隙（Ｄｅ−Ｄｉ）が形成される。外側フィルタ１４の外径Ｄｏはごみ除去用ます１８の内法の幅Ｗおよび長さＬの内の小さい方より小さく、外側フィルタ１４はごみ除去用ます１８の中に入り、外側フィルタ１４とごみ除去用ます１８との間に間隙が形成される。
【００２０】
図１に示すように、外側フィルタ１４の高さＨｃは内側フィルタ１２の高さＨｂより大きいため、外側フィルタ１４の中に内側フィルタ１２を入れると、外側フィルタ１４の上端と内側フィルタ１２の上端との間に間隙（Ｈｃ−Ｈｂ）が形成される。この間隙は後述するオバーフロー流路３４として利用される。
【００２１】
また、内側フィルタ１２の高さＨｂと把手２８の高さＨｇとを合わせた高さは、外側フィルタ１４の高さＨｃより大きいため、把手２８は外側フィルタ１４の上端から出る。
【００２２】
図２に示す固定プレート３６は板状で、そのほぼ中央に円形の孔３８が形成される。図３に示すように、孔３８の径Ｄｐは外側フィルタ１４の内径Ｄｅより小さいため、図１に示すように孔３８の外側で固体プレート３６の下面に接着剤や留具などの任意の取り付け手段で外側フィルタ１４の上端が取り付けられ、固体プレート３６と外側フィルタ１４とは結合される。また、図３に示すように、孔３８の径Ｄｐは内側フィルタ１２の外径Ｄｉおよび把手２８の長さＦより少し大きいため、図４に示すように、固体プレート３６の孔３８から内側フィルタ１２を通して外側フィルタ１４の中に入れ、把手２８は固定プレート３６の孔３８の中に嵌まる。この孔３８と把手２８との隙間が小さいため、把手２８は内側フィルタ１２のずれ防止ガイドとしても利用される。
【００２３】
また、図１に示すように、外側フィルタ１４の高さＨｃは、ごみ除去用ます１８の底面からその側壁に設けられた段差１８ａまでの高さにほぼ等しいため、固体プレート３６が取り付けられた外側フィルタをごみ除去用ます１８内に入れると、固体プレート３６は段差１８ａに引っ掛かり、外側フィルタ１４の底面はごみ除去用ますの底面に接する。
【００２４】
このように組み立てた内側フィルタ１２および固定プレート３６が取り付けられた外側フィルタ１４を雨水浸透ます１６のごみ除去用ます１８内に入れて、ごみ除去用ます１８の蓋４０を閉める。
【００２５】
ごみ除去用ます１８の蓋４０には孔４２が開いており、雨が降ったりすると、雨水は落ち葉やごみなど固形物を含みながら、蓋４０の孔４２からごみ除去用ます１８の中へ流入する。そして、固定物を含んだ雨水は固定プレート３６の孔３８を通って内側フィルタ１２へ流れ込む。この内側フィルタ１２である程度の大きさの固形物は除去されて、内側フィルタ１２の孔２６より小さな固形物および雨水は内側フィルタ１２を通過する。続いて雨水は外側フィルタ１４も通過するが、小さな固形物は外側フィルタ１４で除去される。それから、雨水は接続管２２を通り雨水浸透用ます２０内に流入して、たとえば有孔管２４などを介して地中に浸透する。
【００２６】
この内側フィルタ１２に固形物が溜まると、雨水は内側フィルタ１２を通過することができなくなって、内側フィルタ１２の上端からオバーフローする。そして、内側フィルタ１２は外側フィルタ１４より低いため、雨水は固形物とともに内側フィルタ１２の上に設けられたオバーフロー流路３４を通って外側フィルタ１４へ流入する。このとき、大量の雨水がごみ除去用ます１８に一気に流れ込むような場合でも、外側フィルタ１４の上端は固定プレート３６により蓋をされているため、固形物は外側フィルタ１４の上端から溢れ出てごみ除去用ます１８に入ることなく、雨水はオバーフロー流路３４を通って外側フィルタ１４へ流入する。
【００２７】
雨水が外側フィルタ１４内に流入すると、内側フィルタ１２と同様に、固形物は外側フィルタ１４で除去され、外側フィルタ１４と内側フィルタ１２との間に溜められる。そして、雨水は外側フィルタ１４を通過して、接続管２２を通り雨水浸透用ます２０へ流入し、地中に浸透する。
【００２８】
雨水浸透ます１６の維持管理においては、ごみ除去用ます１８の蓋４０を開けて、内側フィルタ１２の把手２８を取ってごみ除去用ます１８から内側フィルタ１２を取り出す。このとき、外側フィルタ１４の中の様子を見て、固形物があまり入っていないようなら、内側フィルタ１２内の固形物だけを取り除いて、内側フィルタ１２を元に戻す。一方、外側フィルタ１４の中にも固形物が溜まっているようなら、固定プレート３６を引き上げることにより外側フィルタ１４を取り出して、外側フィルタ１４内の固形物を取り除く。そして、取り除けたら、外側フィルタ１４、内側フィルタ１２の順番でごみ除去用ます１８内に戻す。
【００２９】
このように、内側フィルタ１２にオバーフロー流路３４を設けることにより、雨水は内側フィルタ１２から外側フィルタ１４へ効率良く流入する。そして、雨水に含まれる固形物は内側フィルタ１２および外側フィルタ１４で除去されるため、内側フィルタ１２内だけでなく、内側フィルタ１２と外側フィルタ１４との間隙に固形物を溜めておくことができる。このため、雨水浸透ます用フィルタ１０に固形物が満たされるまでの時間が延び、雨水浸透ます１６を維持管理する作業の間隔を延ばすことができる。
【００３０】
そして、内側フィルタ１２の底面を外側フィルタ１４の底面に着け、外側フィルタ１４の底面を内側フィルタ１２の底面に着けることにより、内側フィルタ１２および外側フィルタ１４の下側に余計なスペースを作らず、内側フィルタ１２および外側フィルタ１４は最大限大きくされるため、内側フィルタ１２および外側フィルタ１４へ多くの固形物を溜められ、雨水浸透ます１６を維持管理する作業の間隔はさらに延長される。
【００３１】
また、内側フィルタ１２の把手２８は固定プレート３６の孔で固定されて、内側フィルタ１２の位置はずれず、しかも内側フィルタ１２の周りは固定プレート３６で蓋をされているため、雨水は内側フィルタ１２にまず流入する。これにより、ごみ除去用ます１８へ流入する固形物の量が少ない場合には、内側フィルタ１２の固形物だけ除去すればよい。
【００３２】
そして、内側フィルタ１２の把手２８を利用すれば、簡単に内側フィルタ１２をごみ除去用ます１８から取り出せ、雨水浸透ます１６の維持管理がし易い。
【００３３】
さらに、外側フィルタ１４の孔３０の大きさを内側フィルタ１２の孔２６の大きさより小さくすることにより、内側フィルタ１２である程度大き目の固定物を除去しながら流路を確保し、外側フィルタ１４により小さな固定物まで除去できる。
【００３４】
なお、内側フィルタ１２を外側フィルタ１４の中に１つ設けたが、内側フィルタ１２を複数設けることもできる。
【００３５】
さらに、外側フィルタ１４の高さＨｃを、ごみ除去用ます１８の底面から段差１８ａまでの高さにほぼ等しくしたが、ごみ除去用ます１８の底面から段差１８ａまでの高さより低くしてもよい。この場合、外側フィルタをごみ除去用ます１８内に入れ、固体プレート３６を段差１８ａに引っ掛けると、外側フィルタ１４の底面とごみ除去用ます１８の底面との間に空間が形成される。
【００３６】
その外側フィルタ１４の底面に脚部を取り付けることもできる。ごみ除去用ます１８の高さに合わせた長さの脚部を外側フィルタ１４に取り付けたり、外側フィルタ１４から脚部を取り外したりすることにより、雨水浸透ます用フィルタ１０の高さをごみ除去用ます１８の高さに対応させることができる。
【００３７】
そして、外側フィルタ１４の上部の孔３０の大きさを大きくして、この孔３０を緊急対応用孔として使用することもできる。
【００３８】
図５に示すこの発明の他の実施例である雨水浸透ます用フィルタ１０は、図１に示す雨水浸透ます用フィルタ１０とほぼ同じであるが、内側フィルタ４４の形状が異なる。これ以外の部分に関しては図１実施例の示す雨水浸透ます用フィルタ１０と同様であるため、説明は省略する。
【００３９】
図６に示す内側フィルタ４４はたとえば、筒状の側壁に底面を設けた容器であり、側壁および底面に多数の小さな孔２６が設けられる。上端に鍔４６が設けられ、内側フィルタ４４の側壁の上部に内側フィルタ４４の孔２６より大きな孔４８が形成される。
【００４０】
図５に示すように、内側フィルタ４４の外径Ｄｉは外側フィルタ１４の内径Ｄｅより小さく、内側フィルタ４４は外側フィルタ１４の中に入る。そして、内側フィルタ４４の高さＨｊは、外側フィルタ１４の高さＨｃに固定プレート３６の厚みＨｐを足した高さ以下である。このため、固定プレート３６を取り付けた外側フィルタ１４の中に内側フィルタ４４を入れると、固定プレート３６の上に内側フィルタ４４の鍔４６が載る。つまり、固定プレート３６と内側フィルタ４４の鍔４６との間に隙間ができない。
【００４１】
雨水浸透ます１６のごみ除去用ます１８内に固体プレート３６が取り付けられた外側フィルタを入れて、固体プレート３６をごみ除去用ます１８の側壁に設けられた段差１８ａに引っ掛かけ、外側フィルタ１４の底面をごみ除去用ますの底面に当接させる。次に、固定プレート３６の孔３８から外側フィルタ１４内に内側フィルタ４４を入れて、ごみ除去用ます１８の蓋４０を閉める。
【００４２】
固形物を含んだ雨水は蓋４０の孔４２からごみ除去用ます１８の中へ流入して、内側フィルタ４４内へ流れ込む。固形物は内側フィルタ４４で除去されて、雨水は内側フィルタ４４および外側フィルタ１４を通過する。
【００４３】
そして、内側フィルタ４４に固形物が溜まると、内側フィルタ４４の上部に設けられた大き目の孔４８、つまりオバーフロー流路を通って外側フィルタ１４へ流入する。外側フィルタ１４では内側フィルタ４４と同様に、固形物は外側フィルタ１４で除去され、外側フィルタ１４と内側フィルタ４４との間に溜められて、雨水は外側フィルタ１４を通過して、浸透ますなどで地中に浸透する。
【図面の簡単な説明】
【００４４】
【図１】この発明の一実施例の雨水浸透ます用フィルタを雨水浸透ますに取り付けた状態を示す断面図である。
【図２】固定プレート、内側フィルタおよび外側フィルタを示す斜視図である。
【図３】雨水浸透ます用フィルタを雨水ます内に入れた状態を示す上面の平面図である。
【図４】固定プレート、内側フィルタおよび外側フィルタを重ねて雨水浸透ます用フィルタを形成した状態を示す斜視図である。
【図５】この発明の他の実施例の雨水浸透ます用フィルタを雨水ますに取り付けた状態を示す断面図である。
【図６】図５実施例の雨水浸透ます用フィルタに用いられる内側フィルタを示す斜視図である。
【符号の説明】
【００４５】
１０…雨水浸透ます用フィルタ
１２…内側フィルタ
１４…外側フィルタ
１６…雨水浸透ます
２６…内側フィルタの孔
３０…外側フィルタの孔
３４、４８…オバーフロー流路
【図１】
2006124990.tif 000003
【図２】
2006124990.tif 000004
【図３】
2006124990.tif 000005
【図４】
2006124990.tif 000006
【図５】
2006124990.tif 000007
【図６】
2006124990.tif 000008